(57)【要約】【課題】天候に応じて雨除け、日除け、通風、採光の調節及び設置スペースのフレキシブルな使用を可能な日除け。【解決手段】日除けとなる防水布１０を配置したオーニング基礎ユニット、横方向の固定座ユニット１、導水溝ユニット４および集水ジョイントユニット５で構成され、固定座ユニットは、平行壁面間などに前記オーニング基礎ユニットを固定し、オーニング基礎ユニットは、巻取軸２、巻取装置９、伸縮アーム３及び防水布１０からなり、防水布を巻き取り装置で巻取る操作によって伸縮アームの及び防水布展開幅を調節可能とし、防水布前縁の導水溝ユニットは、前記伸縮アームを最大展開時に底部両端のホールから集水ジョイントユニット５の位置に対応して雨水を集水ユニットに送る。シート式導水伸縮オーニングを導水溝ユニットを具えた前縁を次列のオーニングの固定座ユニットが覆うように複数平行に配置する。【選択図】        図２
2004256994.tif 000002
【特許請求の範囲】
【請求項１】
防水布（ターボリン・カンバス）等からなるシートを配置したオーニング基礎ユニット、横方向の固定座ユニット、導水溝ユニットおよび集水ジョイントユニットで構成され、
横方向の固定座ユニットは、横方向に長方形の受台で、一定の間隔毎に複数の横方向の固定座を備えて平行フレームまたは平行壁面間に設置されて、前記オーニング基礎ユニットを固定し、
オーニング基礎ユニットは、伸縮操作可能なオーニングユニットで、巻取軸、巻き取り装置、伸縮アームおよび防水布（ターボリン・カンバス）等の部材からなり、前記横方向の固定座ユニット上に設置され、日除けとなる防水布（ターボリン・カンバス）を巻き取り装置で巻き取る操作によって伸縮アームの伸縮幅を調節可能とし、
導水溝ユニットは、長い弧状の中空溝体で、前記オーニング基礎ユニットに被覆する防水布（ターボリン・カンバス）の前縁に設置され、前記オーニング基礎ユニットの伸縮アームに接続・支持され、底部両端にそれぞれホールが設けられており、前記オーニング基礎ユニットの伸縮アームを最大限まで伸ばすとき、該ホールが集水ジョイントユニットの位置に対応して雨水を導水溝ユニットのホールから集水ユニットに送り込み可能とし、
集水ジョイントユニットは、鉢型の楔形構造を有する集水器で、設置する空間の平行壁面または平行フレームの下縁に設け、相対応する前記オーニングが完全に展開したときに、防水布（ターボリン・カンバス）下方に位置して上記ホールから雨水を収集するとともに排水管と接続して雨水を排出するか中水システムに流入せしめるものであり、
これら前記オーニング基礎ユニットおよび前記横方向の固定座ユニット、前記導水集水ユニットからなるシート式導水伸縮オーニングを
それぞれ導水溝ユニットを具えたオーニング前縁を次列のオーニングの固定座ユニットが覆うように複数平行に配置することによって、各オーニング毎に展開幅を調整して、天候に応じた採光、通風、雨除け機能を調整可能である、
シート式導水伸縮オーニング。
【発明の詳細な説明】
【０００１】
【発明の属する技術分野】
本発明は複数シート式導水伸縮オーニング（日覆）に関するもので、特に導水装置と集水装置を組み合わせて、元来小面積の日除けと雨除けのみを可能としていた巻取軸軸による伸縮オーニングを、平行するフレームまたは平行する壁面（例えば天井）の間に設置し、複数のシートを平行に且つ交互に重ねる方式により、大面積の雨除け、日除け、通風、採光の調節を可能とするオーニングを形成させ、平行フレームまたは壁面以下のスペースを室内空間とできるようなフレキシブルな使用を可能にするものである。
【０００２】
【従来の技術】
従来のオーニング（雨除けオーニング、日除けオーニング）は、支持アーム、遮蔽面および固定装置などの部材が組み合わされて構成されており、その規格と種類は非常に多いが、一般には車両や家の軒に取り付ける延伸付属物であって、自由に伸縮はできても、大面積で使用する場合、オーニングフレーム自体の重量および風圧による影響等を考えると、その機能性と耐久性は、大面積での使用においてしばしば制約を受け且つ不適当であった。
一般的なオーニングは、その多くが単シート式で家屋の外縁に直接設置されて、家屋外側歩道の狭い空間を遮蔽し、日除けや雨除けの役割を果たしているが、建物内部の天井下における中庭的スペース、または平行する壁面をもつ空間や平行するフレーム下の空間にて使用したい場合、既存の可動式スライドレール・オーニングやまたは固定式オーニングを用いたのでは、上記のようなフレキシブルな利用を望む空間では、日除け、雨除け、採光の調節および通風の条件を満たすことができなかった。
【０００３】
【課題を解決するための手段】
上記問題点に鑑み、本発明者は細心の設計と検討を通して、導水溝を有する巻取軸と伸縮アーム・オーニングの組み合わせを構想した。即ち、該巻取軸の固定端を平行フレームまたは平行壁面（例えば、天井）間に設置し、複数のシートを平行に交互に重ねる方式を用いて、大面積で雨除け、日除け、通風、採光の調節を可能とするオーニングを形成させる。一般の固定式オーニングに比べてよりフレキシブルな使用が可能となり、使用者は天候に応じてその伸縮幅を調節でき、また各オーニング基礎ユニットの前縁に導水溝を設置しているので、雨除けとしてオーニングを使用したいときには、巻取軸の伸縮アームを全開にすれば、導水溝が伸縮アームおよびオーニング前縁の伸びに合わせて、対応する両端の固定された集水ジョイントに至り、雨水をパイプより円滑に排出することができる。
【０００４】
本発明に関する複数シート式導水伸縮オーニングは、複数のシートを平行に且つ交互に重ねるオーニング基礎ユニット、横方向の固定座ユニット、導水溝ユニットおよび集水ジョイントユニットにより構成され、
オーニング基礎ユニットは、動作可能で且つ伸縮できるオーニングユニットであり、巻取軸、巻き取り装置、伸縮アームおよび防水布（ターボリン・カンバス、ｔａｒｐａｕｌｉｎ  ｃａｎｖａｓ）がその部材として備わり、横方向の固定座ユニットに設置され、巻き取り装置を通して伸縮アームを帯動させてその伸縮幅を調節することができ、
横方向の固定座ユニットは、横方向長方形の受台であり、一定の間隔毎に平行フレームまたは平行壁面の間に設置され、前記オーニング基礎ユニットの固定に用いられ、
導水溝ユニットは、長い弧形の中空溝体で、前記オーニング基礎ユニットの前縁に設置され、該導水溝ユニットの底部両端にはそれぞれホールが設けられ、
集水ジョイントユニットは、鉢型の楔形構造を有する集水器で、雨水を収集するとともに排水管に接続され、雨水を排出するかまたは中水システムに流入させ、
前記集水ジョイントは、架設しようとする空間の平行壁面または平行フレームの下縁に設けられ、他のオーニングが完全に広げられたとき前縁の真下に位置し、前記集水ジョイントユニットの上部には楔形構造が備わっていて、伸縮アームが完全に伸びたときに、導水溝を対応する両端の固定された前記集水ジョイントまで延伸させ、楔形構造と係止させる。
【０００５】
本発明に関する複数シート式導水伸縮オーニングは、横方向の固定座が既存の天井のある平行壁面間または平行フレーム間に装着され、一定の間隔毎に平行に複数の横方向固定座を設置してオーニングを支えている。
本発明に関する複数シート式導水伸縮オーニングは、導水槽がオーニングの布の前縁に設置され、伸縮アームに接続され、導水溝底部の両端にホールが設けられている。
本発明に関する複数シート式導水伸縮オーニングは、複数シートを平行に且つ交互に重ねるオーニング基礎ユニットおよび横方向の固定座ユニット、導水集水ユニットより構成された複数シート式導水伸縮オーニングであり、先ず複数の前記オーニング基礎ユニットを、予め装着しておく前記横方向の固定座ユニットにそれぞれ据え付け、前記各オーニング基礎ユニットを全開させるとき、前縁の導水溝ユニットが丁度別の隣接する前記オーニング基礎ユニットの前記横方向の固定座ユニットの下方に位置し、平行に且つ交互に重ねる方式で、平行フレームまたは平行壁面の間に設けた複数シート式導水オーニングと組み合わさる。
【０００６】
各前記オーニング基礎ユニットからなる大面積で且つ天候により伸縮を調節するオーニングの組み合わせを、フレキシブルに利用したい中庭のような空間の平行壁面または平行フレームの間において、一定の間隔毎に前記横方向の固定座ユニットを設け、更に伸縮オーニングの巻取軸の固定端を前記横方向の固定座ユニット上に固定し、個別のオーニング基礎ユニットを支える。各オーニングが完全に広がるとき、その前縁が別のオーニングの巻取軸の固定端に対応して交互に重なり、こうしてオーニングの設置面積を拡大し、各基礎ユニットの前縁に導水溝を加設し、雨水を一定のパイプより排出するかまたは中水システムに到達させ、導水溝を各オーニング基礎ユニットの前縁に設け、伸縮アームと接続し、導水溝両端底部にホールがあって、平行フレームまたは平行壁面の固定された集水ジョイントに対応する。オーニングを雨除けとして使用したいときには、巻取軸の伸縮アームを最大限に伸ばすことにより、その導水溝が対応する両端の固定された集水ジョイントまで伸び、該集水ジョイントが平行フレームまたは平行壁面の下縁に設けられて、各オーニング基礎ユニットの横方向の固定座の真下に位置し、左右両端それぞれ一つずつに排水パイプを下設する。上述のように、巻取軸の伸縮アームが最大限に伸びたときには、導水溝がオーニングに伴って集水ジョイントまで伸びて、導水溝両端底部のホールと集水ジョイントを対応させ、導水と集水の機能を達成することができる。
【０００７】
巻取軸の伸縮アームが最大限に伸びたとき、オーニングは風の影響を受けて揺れ易く破損する恐れがあるため、集水ジョイント上縁に楔形構造を設計し、導水溝をオーニングに伴って集水ジョイントの楔形構造まで伸ばして対応する両端の集水ジョイントに至らせると、楔形上縁に係止され、導水溝がオーニングの伸びに伴って係止槽の楔形範囲に入ると直ちに係止されて、オーニングを固定する別の一端となる。上述のように、雨水を導水溝と集水ジョイントを通して雨水集水パイプより排出させまたは注水システムに送り込む。全開で使用したくない場合には、巻き取り装置を回すだけで遮蔽面積を調節することができ、その他にも使用者の様々なニーズに応じて、平行フレームや平行壁面の下方空間での使用状況に対応して遮蔽程度を選択することができ、外部の天候により進入する風や光の量を調節することによってフレキシブルで多用途の使用機能を完全に実現することができる。
【０００８】
【発明の実施の形態】
以下、図面を参照して本発明を詳細に説明する。
図１に示したように、本発明は平行フレームまたは平行壁面に設置できる複数シート式導水オーニングであり、複数シートを平行に且つ交互に重ねる方式により各オーニング基礎ユニットを組み合わせて大面積で調節可能な多用途のオーニング群を形成し、各オーニング基礎ユニットの前縁に導水溝を加設して雨水を集水し、雨水を導水溝、集水ジョイント、排水パイプを経由して排出するかまたは中水システムに送り込む。オーニング基礎ユニットの詳細は、図２に示したとおりである。
【０００９】
本発明の複数シート式導水伸縮オーニングは、その全体構造が複数のオーニング基礎ユニット１１を平行に組み合わせて構成されており、各オーニング基礎ユニット１１には、横方向の固定座ユニット１、巻取軸２、伸縮アーム３、導水溝ユニット４および巻き取り装置９が備わっていて、二つの平行フレーム７または平行壁面の間（例えば天井）に取り付け、一定の間隔で横方向の固定座ユニット１を複数取り付けて、各巻取軸２が横方向の固定座ユニット１に設置されて複数の延伸アーム３を装着しており、延伸アーム３の上方を防水布（ターボリン・カンバス）１０で覆い、横方向の固定座ユニット１の一側面には巻き取り装置９を取り付け、巻き取り装置９で延伸アーム３を動かして、防水布（ターボリン・カンバス）１０を開いたり閉じたりする。このほか、各オーニング基礎ユニット１の防水布（ターボリン・カンバス）１０の前縁に導水溝ユニット４を加設し、伸縮アーム３を接続し、また導水溝ユニット４の両端底部にホールを設け、平行フレーム７または平行壁面に固定した集水ジョイントユニット５に対応させる。
集水ジョイントユニット５は平行フレームまたは平行壁面７の下縁に設置され、完全に開いたときのオーニング前縁の真下に位置するようにし、同時にその交互に重なり合った別のオーニング基礎ユニット１１の横方向の固定座ユニット１の真下に位置させ、左右それぞれ一つずつに排水パイプ６を下設する。巻取軸の伸縮アームが最大限に伸びるとき、導水溝ユニット４が集水ジョイントユニット５に達し、導水溝両端底部のホール１４と集水ジョイントユニット５が対応して、導水と集水の機能が果たされる。
【００１０】
伸縮アーム３の伸展幅が１００％に達するとき、導水溝ユニット４および集水ジョイントユニット５の集水口が合わさって係止され、降雨時には雨水が雨樋上方から導水溝ユニット４に流れ、更に集水ジョイントユニット５に流入し、排水パイプ６より排出されるか中水システムに流入される。このようにして、オーニング基礎ユニット１１と対応する集水ジョイントユニット５の組み合わせが構成され、更に架設スペースの実際の空間および使用ニーズに基づいて複数のオーニング基礎ユニット１１を組み合わせて、図１に示したような複数シート式導水伸縮オーニングが構成される。
【００１１】
本発明の複数シート式導水伸縮オーニングは、使用者のニーズに応じて遮蔽面積を調節することができ、巻取軸の伸縮アームが最大限に伸びるとき、オーニングは風の影響を受けて揺れ易く破損する恐れがあるため、集水ジョイント５上縁に楔形構造１２を設け、導水溝ユニット４が両端の対応する集水ジョイント５まで伸びるとき、楔形構造１２に係止される。導水溝ユニット４がオーニングに伴って対応する両側の集水ジョイント５まで伸びるとき、楔形構造１２の楔形範囲に係止され、オーニングを固定する別の一端となる。巻き取り装置９でオーニングの開閉幅を調節し、開閉幅の違いにより、使用者のニーズに合わせて進入する光や風の量を調節することができ、全開で使用したくない場合には、巻き取り装置９を回せば完全に巻き取ることができる（本実施形態における巻き取り装置は手動式であり、省エネや停電時における使用を考慮しているが、実際の取り付けでは、使用者のニーズにより電動式を採用することもできる）（図５参照）。
【００１２】
【００１３】
図５は完全に巻き取られた状態および半分伸ばした状態を示す立体図であり、各オーニング基礎ユニット１１はそれぞれ独立しており、それぞれに一つずつ巻き取り装置９があるため、使用者のニーズに合わせて個別に調節することができる。
【００１４】
【発明の効果】
上述したように、本発明は複数のオーニング基礎ユニットにより大面積の可動式オーニングが構成され、オーニングで遮蔽する下方空間をフレキシブルに利用することができ、平行フレームまたは平行壁面に対応し、その下方空間の使用状況を考慮し、オーニングの開閉幅を選択することできる。従来のオーニングにおける日除けや雨除けの機能以外に、進入する風や光の量を調節することができ、更には導水溝および集水ジョイントを合わせて装着すれば、従来のオーニングにおける排水問題を改善することができ、オーニングの設置範囲を拡大でき、機能が増加するなど、その総合的設計はかつてなかったものである。
【図面の簡単な説明】
【図１】本発明に関する複数シート式導水伸縮オーニングの立体図である。
【図２】本発明に関する複数シート式導水伸縮オーニングのオーニング基礎ユニット、導水溝、集水ジョイントを組み合わせたところを示す図である。
【図３】本発明に関する複数シート式導水伸縮オーニングの導水溝、集水ジョイントを組み合わせたところを示す図である。
【図４】本発明に関する複数シート式導水伸縮オーニングのオーニング伸縮アームを全開させたときの側面図である。
【図５】本発明に関する複数シート式導水伸縮オーニングのオーニング伸縮アームを完全に巻き取ったところおよび半開したところを示す図である。
【符号の説明】
１、横方向の固定座ユニット
２、巻取軸
３、伸縮アーム
４、導水溝ユニット
５、集水ジョイントユニット
６、排水管
７、平行フレームまたは平行壁面
８、図２の局部拡大図
９、巻き取り装置
１０、防水布（ターボリン・カンバス）
１１、オーニング基礎ユニット
１２、楔形構造
１３、排水システム
１４、導水溝ユニット底部に開けたホール
【図１】
2004256994.tif 000003
【図２】
2004256994.tif 000004
【図３】
2004256994.tif 000005
【図４】
2004256994.tif 000006
【図５】
2004256994.tif 000007